(57)【要約】【課題】カレンダー等のケースとして使用でき、製造コストが安価で廃棄処理が容易である封筒を提供すること。【解決手段】カレンダー等のケースとなる封筒１０は、内部にカレンダーの写真１１やカレンダー１２を印刷したカードを収納し、裏面に設けられたミシン目を切り離して形成した、封筒１０の支持片１３を宛名面に折り返し、宛名面に設けられたミシン目を切り離して形成した係止片を支持片１３と係合させることにより支持片１３を保持する。支持片１３を切り離した跡は収納物であるカレンダーカードを見せる窓となる。小型の機械で封筒本体とカレンダー等のカード複数枚を同時に印刷、製造可能である。また、封筒がそのままケース１０となるので無駄がなく、郵送用の樹脂製封筒も必要なく、資源を浪費しないと共に全てが紙であるので廃棄処理が容易である。【選択図】図１
0003119805.tif 000002
【実用新案登録請求の範囲】
【請求項１】
裏面に設けられたミシン目を切り離すことによって、開口部が収納物を見せる窓となると共に形成された封筒を支持する支持片を宛名面に折り返し、宛名面に設けられたミシン目を切り離して形成した係止片を前記支持片と係合させることにより前記支持片を保持することを特徴とする封筒。
【請求項２】
封筒を支持する支持片と係合する係止片を形成するためのミシン目を備えた長方形の宛名面と、
前記宛名面と同じ長方形であり、宛名面の一方の長辺と折り目を介して接続しており、
収納物を見せる窓となると共に前記支持片を形成するために、両側の短辺近傍において前記折り目の途中から、前記折り目と垂直に対向する長辺の近傍まで設けられた２つのミシン目及び前記２つのミシン目の前記折り目と反対側の端部をつなぐミシン目が設けられ、
前記ミシン目の内側に前記係止片が差し込まれる切り欠きおよび長辺と平行する２本の折り目が設けられ、
かつ裏面の２つの短辺と折り目を介して接続している所定幅の糊代が内側に折り込まれて宛名面と接着されている裏面と、
宛名面の他方の長辺とミシン目を介して接続しており、中央部に開封するための２列のミシン目を備えた封止片と
を備えたことを特徴とする封筒。
【請求項３】
封筒を支持する支持片と係合する係止片を形成するためのミシン目を備えた長方形の宛名面と、
前記宛名面と同じ長方形であり、宛名面の一方の長辺と折り目を介して接続しており、
カレンダーカードを見せる窓となると共に前記支持片を形成するために、両側の短辺近傍において前記折り目の途中から、前記折り目と垂直に対向する長辺の近傍まで設けられた２つのミシン目及び前記２つのミシン目の前記折り目と反対側の端部をつなぐミシン目が設けられ、
前記ミシン目の内側に前記係止片が差し込まれる切り欠きおよび長辺と平行する２本の折り目が設けられ、
かつ裏面の２つの短辺と折り目を介して接続している所定幅の糊代が内側に折り込まれて宛名面と接着されている裏面と、
宛名面の他方の長辺とミシン目を介して接続しており、中央部に開封するための２列のミシン目を備えた封止片と、
封筒内部に収納されたカレンダーカードと
を備えたことを特徴とする封筒。
【考案の詳細な説明】
【技術分野】
【０００１】
本考案は、封筒に関するものであり、特にカレンダーカード等のケースとなる折り目およびミシン目を施した封筒に関するものである。
【背景技術】
【０００２】
例えば下記特許文献１には、カレンダーケースからカレンダースタンドへ簡単に変形でき、カレンダースタンドとして載置する際、その載置面積を小さくできる卓上カレンダースタンドが開示されている。
【特許文献１】実用新案登録第３１０２９１３号公報
【考案の開示】
【考案が解決しようとする課題】
【０００３】
上記したような従来のカレンダースタンドにおいては、ケースはプラスティック製であり、また、このカレンダースタンドを郵送するためには更にプラスティック製の封筒等を使用する必要があるが、封筒はすぐに廃棄され、ケースも廃棄する場合に環境に負荷がかかるという問題点があった。
本考案は、従来の問題点を解決し、カレンダー等のケースとして使用でき、製造コストが安価で廃棄処理が容易である封筒を提供することを目的とする。
【課題を解決するための手段】
【０００４】
本考案の封筒は、裏面に設けられたミシン目を切り離すことによって、開口部が収納物を見せる窓となると共に形成された封筒を支持する支持片を宛名面に折り返し、宛名面に設けられたミシン目を切り離して形成した係止片を前記支持片と係合させることにより前記支持片を保持することを主要な特徴とする。
【０００５】
また、本考案の封筒は、封筒を支持する支持片と係合する係止片を形成するためのミシン目を備えた長方形の宛名面と、前記宛名面と同じ長方形であり、宛名面の一方の長辺と折り目を介して接続しており、収納物を見せる窓となると共に前記支持片を形成するために、両側の短辺近傍において前記折り目の途中から、前記折り目と垂直に対向する長辺の近傍まで設けられた２つのミシン目及び前記２つのミシン目の前記折り目と反対側の端部をつなぐミシン目が設けられ、前記ミシン目の内側に前記係止片が差し込まれる切り欠きおよび長辺と平行する２本の折り目が設けられ、かつ裏面の２つの短辺と折り目を介して接続している所定幅の糊代が内側に折り込まれて宛名面と接着されている裏面と、宛名面の他方の長辺とミシン目を介して接続しており、中央部に開封するための２列のミシン目を備えた封止片とを備えた点にも特徴がある。
【０００６】
また、本考案の封筒は、封筒を支持する支持片と係合する係止片を形成するためのミシン目を備えた長方形の宛名面と、前記宛名面と同じ長方形であり、宛名面の一方の長辺と折り目を介して接続しており、カレンダーカードを見せる窓となると共に前記支持片を形成するために、両側の短辺近傍において前記折り目の途中から、前記折り目と垂直に対向する長辺の近傍まで設けられた２つのミシン目及び前記２つのミシン目の前記折り目と反対側の端部をつなぐミシン目が設けられ、前記ミシン目の内側に前記係止片が差し込まれる切り欠きおよび長辺と平行する２本の折り目が設けられ、かつ裏面の２つの短辺と折り目を介して接続している所定幅の糊代が内側に折り込まれて宛名面と接着されている裏面と、宛名面の他方の長辺とミシン目を介して接続しており、中央部に開封するための２列のミシン目を備えた封止片と、封筒内部に収納されたカレンダーカードとを備えた点にも特徴がある。
【考案の効果】
【０００７】
本考案の封筒によれば、下記のような効果がある。
（１）封筒がそのままカレンダー等のケースとなるので無駄がなく、郵送用の樹脂製封筒も必要なく、資源を浪費しないと共に全てが紙であるので廃棄処理が容易である。
（２）菊半才のサイズの機械で封筒本体とカレンダー等のカード７枚を同時に印刷、製造可能であり、製造コストが低減できる。
（３）封筒の支持片を差し込み式で保持するようにしたので、この部分に両面テープ等の接着物を使用する必要がなく、やはり製造コストが低減できる。
【考案を実施するための最良の形態】
【０００８】
以下、図面を参照して実施例を説明する。
【実施例１】
【０００９】
図１は、本考案の封筒をカレンダーケースとして使用した場合の構造を示す斜視図である。封筒を加工したカレンダーケース１０は、前面に収納物であるカレンダーカードの写真１１やカレンダー１２をを見せるための窓を有している。背面には、前面の窓を開けるために、予め施されているミシン目で切り離して背面に折り返した支持片１３が保持されており、支持片１３によりカレンダーケース１０を机上等に立てて置けるように構成されている。
【００１０】
図２は、本考案の封筒の構造を示す展開図である。なお、図２において、細かい点線２５、３７、３８は切り離し可能なミシン目、細い実線２３、３９等は切り目、一点鎖線２７、３２、３４、３５、３６は折り目を表す。
【００１１】
封筒１０は１枚の紙から製造される。宛名面２０は長方形であり、中央下方に封筒を支持する支持片（４０）と係合する係止片を形成するためのミシン目２６（端部は切り目となっている）および係止片を起こすときの折り目２７を備えている。
【００１２】
裏面３０は宛名面２０と同じ長方形であり、宛名面２０の一方の長辺と折り目３４を介して接続している。裏面３０には、裏面の２つの短辺と折り目３２を介して接続している所定幅の糊代３１が設けられている。
【００１３】
裏面３０には、カレンダーカードを見せる窓となると共に支持片（４０）を形成するために、両側の短辺近傍において折り目３４の途中から、折り目３４と垂直に対向する長辺の近傍まで設けられた２つのミシン目３７及び２つのミシン目３７の折り目３４と反対側の端部をつなぐミシン目３８が設けられている。更に、ミシン目３７、３８の内側に係止片が差し込まれる切り欠き３９および長辺と平行する２本の折り目３５、３６が設けられている。
【００１４】
封止片２１は宛名面２０の他方の長辺とミシン目２５を介して接続している。封止片２１の中央部には封筒を開封するための２列のミシン目２３およびミシン目２３の端部に設けられた開封用のタブ２２を備えている。封止片２１の上端裏側に設けられた両面テープ２４は封筒を封止するときに使用する。
【００１５】
図３は、本考案の封筒およびカレンダーカードを同時に製造する工程を示す説明図である。まず、図３（ａ）に示すように１枚の用紙４０に封筒の展開図とカレンダーカード６枚を印刷する。菊半才（636×469mm）のサイズの用紙４０で、封筒とカレンダー部分を切ってはがきとして使用可能なカレンダーカード６枚を同時に作成可能であるので、小型の機械を使用して製造でき、製造コストを安価にできる。
【００１６】
次に、図３（ｂ）に示すように金型を使用して封筒４２およびカレンダーカード４１を切り離す。この際、封筒４２の折り目、ミシン目、切り目も金型によって同時に形成される。所定の用紙および寸法を採用することによって、定型封書の最大重量（５０グラム）以下に収めることができる。
【００１７】
次に、封筒４２の２つの糊代３１が内側に折り込まれて宛名面２０の裏側と例えば両面テープ３３によって接着される。そしてカレンダーカード４１が内部に収納される。図３（ｃ）は封筒４２を裏面３０側から見た図である。なお、機械によって糊代３１に糊を塗布して折り畳み、封筒を製造することも可能である。
【００１８】
最後に、図３（ｄ）に示すように、封止片２１をミシン目２５で折り、封止片２１の上端に貼り付けた両面テープ２４を裏面３０に貼り付けて封止する。両面テープ２４は、裏面の折り目３６および切り目３９と重ならず、その中間に貼り付くように配置されている。
【００１９】
図４は、本考案の封筒をカレンダーケースに加工する工程を示す説明図である。まず、図４（ａ）に示すように、２本のミシン目２３に沿ってタブ２２を引いて開封する。次に、ミシン目２５を折るかカッター等を使用して切り、封止片２１を分離する。
【００２０】
次に、裏面のミシン目３７、３８を折るかカッター等を使用して切り、支持片４０を切り出す。支持片４０を切り出した開口部はカレンダーカードを見せる窓となる。切り出した支持片４０は折り目３４から宛名面側まで折り返し、折り目３５、３６を図４（ｃ）に示すように、断面が略３角形となるように折る。
【００２１】
最後に、宛名面２０の係止片のミシン目２６を切って係止片（２６）を起こし、支持片４０の切り目３９に差し込んで支持片４０を保持する。カレンダーカード４１は封筒内に保持され、カードの交換は、封止片２１を切り離したミシン目２５の部分の開口部から行う。
【００２２】
この他、本考案の封筒には以下のような実施例も考えられる。実施例においては、定型封書の最大形状に近い形状の例を開示したが、本考案の封筒および収納するカードの縦横の寸法やカードの内容や枚数は任意である。
【００２３】
カードを見せる窓の形状は長方形である例を開示したが、支持片４０として封筒を支持できる形状であれば、例えば角が丸いかまぼこ型等であってもよい。
【００２４】
ミシン目２５を宛名面２０の長辺と一致する位置に設ける例を開示したが、例えば長辺の位置には折り目を設け、ミシン目は長辺から所定長（例えば数ミリ程度）だけ宛名面２０の内側に配置してもよい。このようにすれば、机上に置いた場合にミシン目から切り離した端部が見えなくなり、見栄えが良くなる。
【産業上の利用可能性】
【００２５】
本考案の封筒は企業や商品の宣伝、広告用に利用可能である。
【図面の簡単な説明】
【００２６】
【図１】本考案の封筒をカレンダーケースとして使用した場合の構造を示す斜視図である。
【図２】本考案の封筒の構造を示す展開図である。
【図３】本考案の封筒およびカレンダーカードを同時に製造する工程を示す説明図である。
【図４】本考案の封筒をカレンダーケースに加工する工程を示す説明図である。
【符号の説明】
【００２７】
１０…カレンダーケース（封筒）
１１…カレンダーカードの写真
１２…カレンダー
１３…支持片
【図１】
0003119805.tif 000003
【図２】
0003119805.tif 000004
【図３】
0003119805.tif 000005
【図４】
0003119805.tif 000006